(57)【要約】【課題】ポスターなどの紙もしくはフィルム状で構成されたデザイン・広告媒体の変更を容易に行うことができ、かつ、意匠性にも優れている情報表示装置を提供する。【解決手段】支柱部７ｂや枠体部７ｃの表面に脱着可能な透明板材８ａ、８ｂを配置し、透明板材８ａと支柱部７ｂの間や透明板材８ｂと枠体部７ｃとの間に、印刷物１８ａ、１８ｂを挟み込めるようにする。透明板材８ａ、８ｂを通じて支持筐体７に取り付けた印刷物１８ａ、１８ｂを視認可能な状態にできるため、ユーザに対して印刷物１８ａ、１８ｂに印刷されたデザインや遊技台１の広告をユーザに提供することが可能となり、意匠性に優れたものとすることができる。また、透明板材８ａ、８ｂの支持筐体７への脱着に伴って印刷物１８ａ、１８ｂ、つまりポスターなどの紙もしくはフィルム状で構成されたデザイン・広告媒体の変更を容易に行うことが可能である。【選択図】図２
0003126301.tif 000002
【実用新案登録請求の範囲】
【請求項１】
ディスプレイ（６）および該ディスプレイ（６）を所定高さに支持するための支柱部（７ａ）を有した支持筐体（７）を備え、前記ディスプレイ（６）にて情報の表示を行うように構成された情報表示装置であって、
前記支柱部（７ｂ）の表面に配置され、前記支柱部（７ｂ）の表面との間に第１印刷物（１８ａ）を挟み込むための第１透明板材（８ａ）と、
前記第１透明板材（８ａ）を前記支柱部（７ｂ）の表面から離せるように着脱もしくは開閉可能に保持する第１保持手段（１２ａ〜１２ｄ、１６ａ〜１６ｄ）と、
を有していることを特徴とする情報表示装置。
【請求項２】
前記第１保持手段は、前記支柱部（７ｂ）に配置された第１埋め込みボルト（１２ａ〜１２ｄ）と、前記第１埋め込みボルト（１２ａ〜１２ｄ）に嵌め込まれる第１化粧ナット（１６ａ〜１６ｄ）とを含んで構成され、
前記第１透明板材（８ａ）のうち前記第１埋め込みボルト（１２ａ〜１２ｄ）と対応する位置には第１穴（１４ａ〜１４ｄ）が形成され、
前記第１透明板材（８ａ）に形成された前記第１穴（１４ａ〜１４ｄ）に前記第１埋め込みボルト（１２ａ〜１２ｄ）が挿入された状態で、前記第１化粧ナット（１６ａ〜１６ｄ）が前記第１埋め込みボルト（１２ａ〜１２ｄ）に嵌め込まれていることを特徴とする請求項１に記載の情報表示装置。
【請求項３】
前記支持筐体（７）には、前記ディスプレイ（６）が取り付けられる枠体部（７ｃ）が備えられており、
前記枠体部（７ｃ）の表面に配置され、前記枠体部（７ｃ）の表面との間に第２印刷物（１８ｂ）を挟み込むための第２透明板材（８ｂ）と、
前記第２透明板材（８ｂ）を前記枠体部（７ｃ）の表面から離せるように着脱もしくは開閉可能に保持する第２保持手段（１３ａ〜１３ｄ、１７ａ〜１７ｄ）と、を有していることを特徴とする請求項１または２に記載の情報表示装置。
【請求項４】
ディスプレイ（６）および該ディスプレイ（６）が取り付けられる枠体部（７ｃ）を有した支持筐体（７）を備え、前記ディスプレイ（６）にて情報の表示を行うように構成された情報表示装置であって、
前記枠体部（７ｃ）の表面に配置され、前記枠体部（７ｃ）の表面との間に第２印刷物（１８ｂ）を挟み込むための第２透明板材（８ｂ）と、
前記第２透明板材（８ｂ）を前記枠体部（７ｃ）の表面から離せるように着脱もしくは開閉可能に保持する第２保持手段（１３ａ〜１３ｄ、１７ａ〜１７ｄ）と、を有していることを特徴とする情報表示装置。
【請求項５】
前記第２保持手段は、前記枠体部（７ｃ）に配置された第２埋め込みボルト（１３ａ〜１３ｄ）と、前記第２埋め込みボルト（１３ａ〜１３ｄ）に嵌め込まれる第２化粧ナット（１７ａ〜１７ｄ）とを含んで構成され、
前記第２透明板材（８ｂ）のうち前記第２埋め込みボルト（１３ａ〜１３ｄ）と対応する位置には第２穴（１５ａ〜１５ｄ）が形成され、
前記第２透明板材（８ｂ）に形成された前記第２穴（１５ａ〜１５ｄ）に前記第２埋め込みボルト（１３ａ〜１３ｄ）が挿入された状態で、前記第２化粧ナット（１７ａ〜１７ｄ）が前記第２埋め込みボルト（１３ａ〜１３ｄ）に嵌め込まれていることを特徴とする請求項３または４に記載の情報表示装置。
【考案の詳細な説明】
【技術分野】
【０００１】
本考案は、例えばパチンコホールにおいて、ユーザに対して様々な情報、例えば遊技台の稼動状況等の提供を行うことができる情報表示装置に関するものである。
【背景技術】
【０００２】
従来より、パチンコホールでは、ホール内に備えられた各遊技台の可動状況等に関する情報をディスプレイに表示し、ユーザに対して情報を提供することが行われている（例えば、特許文献１参照）。
【特許文献１】特開２００４−２０９１４７号公報
【考案の開示】
【考案が解決しようとする課題】
【０００３】
しかしながら、従来の情報表示装置では、単にディスプレイに情報表示を行うだけのものであった。このため、本発明者らは、情報表示装置の意匠性の向上や宣伝的機能の追加を目的として、例えば、情報表示装置に対してホール内に導入している遊技台のポスターなどを貼り付けることを考えたが、単に情報表示装置にポスターなどを貼り付けただけでは見栄えがあまり良くならず、意匠性の向上が図れなかった。また、ポスターの貼り付けの手間も掛かるため、パチンコ業界のように、特に遊技台の機種変更が頻繁に行われるようなものの情報表示装置には不向きであった。
【０００４】
本考案は上記点に鑑みて、ポスターなどの紙もしくはフィルム状で構成されたデザイン・広告媒体の変更を容易に行うことができ、かつ、意匠性にも優れている情報表示装置を提供することを目的とする。
【課題を解決するための手段】
【０００５】
上記目的を達成するため、本考案では、ディスプレイ（６）および該ディスプレイ（６）を所定高さに支持するための支柱部（７ａ）を有した支持筐体（７）を備え、ディスプレイ（６）にて情報の表示を行うように構成された情報表示装置であって、支柱部（７ｂ）の表面に配置され、支柱部（７ｂ）の表面との間に第１印刷物（１８ａ）を挟み込むための第１透明板材（８ａ）と、第１透明板材（８ａ）を支柱部（７ｂ）の表面から離せるように着脱もしくは開閉可能に保持する第１保持手段（１２ａ〜１２ｄ、１６ａ〜１６ｄ）と、を有していることを第１の特徴としている。
【０００６】
このように、第１保持手段（１２ａ〜１２ｄ、１６ａ〜１６ｄ）により、第１透明板材（８ａ）を支柱部（７ｂ）に対して着脱可能に保持できるようにし、第１透明板材（８ａ）と支柱部（７ｂ）の間に第１印刷物（１８ａ）を挟み込めるようにすれば、支持筐体（７）に取り付けた第１印刷物（１８ａ）を視認可能な状態にできるため、ユーザに対して第１印刷物（１８ａ）に印刷されたデザインや遊技台の広告をユーザに提供することが可能となり、意匠性に優れたものとすることができる。また、第１透明板材（８ａ）の支持筐体（７）への脱着に伴って第１印刷物（１８ａ）、つまりポスターなどの紙もしくはフィルム状で構成されたデザイン・広告媒体の変更を容易に行うことが可能である。
【０００７】
例えば、第１保持手段は、支柱部（７ｂ）に配置された第１埋め込みボルト（１２ａ〜１２ｄ）と、第１埋め込みボルト（１２ａ〜１２ｄ）に嵌め込まれる第１化粧ナット（１６ａ〜１６ｄ）とにより構成される。この場合、第１透明板材（８ａ）のうち第１埋め込みボルト（１２ａ〜１２ｄ）と対応する位置に第１穴（１４ａ〜１４ｄ）を形成しておき、第１透明板材（８ａ）に形成された第１穴（１４ａ〜１４ｄ）に第１埋め込みボルト（１２ａ〜１２ｄ）が挿入された状態で、第１化粧ナット（１６ａ〜１６ｄ）が第１埋め込みボルト（１２ａ〜１２ｄ）に嵌め込まれるようにすれば良い。
【０００８】
また、本考案では、枠体部（７ｃ）の表面に配置され、枠体部（７ｃ）の表面との間に第２印刷物（１８ｂ）を挟み込むための第２透明板材（８ｂ）と、第２透明板材（８ｂ）を枠体部（７ｃ）の表面から離せるように着脱もしくは開閉可能に保持する第２保持手段（１３ａ〜１３ｄ、１７ａ〜１７ｄ）と、を有していることを第２の特徴としている。
【０００９】
このように、枠体部（７ｃ）にも第２透明板材（８ｂ）を保持できる構造とすれば、上記本考案の第１の特徴と同様の効果を得ることが可能となる。
【００１０】
この場合も、例えば、枠体部（７ｃ）に配置された第２埋め込みボルト（１３ａ〜１３ｄ）と、第２埋め込みボルト（１３ａ〜１３ｄ）に嵌め込まれる第２化粧ナット（１７ａ〜１７ｄ）とにより第２保持手段を構成することができる。そして、第２透明板材（８ｂ）のうち第２埋め込みボルト（１３ａ〜１３ｄ）と対応する位置には第２穴（１５ａ〜１５ｄ）を形成しておき、第２透明板材（８ｂ）に形成された第２穴（１５ａ〜１５ｄ）に第２埋め込みボルト（１３ａ〜１３ｄ）が挿入された状態で、第２化粧ナット（１７ａ〜１７ｄ）を第２埋め込みボルト（１３ａ〜１３ｄ）に嵌め込むようにすれば良い。
【００１１】
なお、上記各手段の括弧内の符号は、後述する実施形態に記載の具体的手段との対応関係を示すものである。
【考案を実施するための最良の形態】
【００１２】
（第１実施形態）
以下、本考案の一実施形態を適用したパチンコホール用の情報表示装置が適用された表示システムについて説明する。図１は、情報表示装置が備えられたパチンコホール用表示システムの概略構成を示した模式図である。
【００１３】
表示システムは、遊技台１、各台基板２、島ＣＰＵ３、ホールコンピュータ４および情報表示装置５を備え、これらがＬＡＮ等を通じて接続された構成とされている。
【００１４】
遊技台１は複数あり、パチンコホール内において機種別に並べられ、島と呼ばれる１列のグループ毎に設置されている。各遊技台１には、図示しないがセーフセンサ、アウトセンサ、デジタル回転センサ、大当りセンサ、確率変動（以下、確変という）センサ等の各種センサが取り付けられており、これら各センサの検出信号が各台基板２に出力される。
【００１５】
各台基板２は、遊技台１ごとに取り付けられたものである。この各台基板２は、各遊技台１の大当りに関する情報やセーフ、アウトに関する情報、すなわち遊技台１がパチンコ台である場合には、パチンコ玉の出玉（セーフ玉）、入玉（アウト玉）の情報、スロット台である場合には、投入したコイン枚数（イン枚数）、払い出されたコイン枚数（アウト枚数）に関する情報、さらには大当り情報、確変情報などを示す電気信号を各遊技台１に取り付けられた各種センサから得て、その電気信号をそのまま又は所定の形式の電気信号に変換して島ＣＰＵ３に出力する。
【００１６】
島ＣＰＵ３は、機種別に並べられた遊技台１の島ごとに備えられている制御装置である。この島ＣＰＵ３は、ＬＡＮを通じて各台基板２からの各種情報を示す電気信号を受け取り、その各種情報をホールコンピュータ４に送ると共に、その電気信号中に含まれた各遊技台１の大当りに関する情報やセーフ、アウトに関する情報に基づいて島全体のセーフ、アウトの値を制御すべく、各台基板２に対して各遊技台１のセーフ、アウトの制御用信号を出力するものである。
【００１７】
ホールコンピュータ４は、ＣＰＵ、ＲＡＭ、ＲＯＭなどのメモリおよびＩ／Ｏなどを有する周知のマイクロコンピュータによって構成されている。このホールコンピュータ４は、ＬＡＮを通じて各島ＣＰＵ３からの電気信号を受け取り、それに基づく演算を行う等により、各遊技台１ごとに、遊技台１の状態（例えば大当り中である等）、累積セーフ、累積アウト、累積回転数、累積確変、累積大当、確変中大当などの各情報を得て、必要な情報をメモリ内に記憶する。そして、ホールコンピュータ４は、記憶した各情報に基づいて、各島ＣＰＵ３が各島のセーフ、アウトの値をどのように制御するかについての指示信号を出力したり、各情報を電気信号として情報表示装置５に出力するようになっている。
【００１８】
情報表示装置５は、ホールコンピュータ４から送られてきた電気信号に基づいて、各遊技台１に関する様々な情報や島ごとの情報等を表示したり、パチンコホールの宣伝広告用の表示などを行ったりするものである。図２は、情報表示装置５の拡大図であり、図３は、情報表示装置５の分解図である。
【００１９】
図２、図３に示すように、情報表示装置５には、ディスプレイ６と、このディスプレイ６を支えるための支持筐体７と、支持筐体７に配置される透明板材８ａ、８ｂが備えられている。ディスプレイ６には、電力供給を行うための電源コード９とホールコンピュータ４からの電気信号を受け取るためのケーブル１０が備えられている。
【００２０】
ディスプレイ６は、ホールコンピュータ４から送られてきた電気信号等に基づいて、各遊技台１に関する様々な情報や島ごとの情報等を表示したり、パチンコホールの宣伝広告用の表示などを行う表示部としての役割を果たすものである。例えば、ディスプレイ６は液晶表示器にて構成され、その外枠が支持筐体７に固定されている。なお、ディスプレイ６の裏面において支持筐体７から突き出している部分は換気口６ａであり、ディスプレイ６の放熱等が行えるようになっている。
【００２１】
支持筐体７の基本外形は、床面に平行とされた基台部７ａ、基台部７ａに対して垂直方向となる支柱部７ｂおよびディスプレイ６を固定するための枠体部７ｃにて構成されており、この支持筐体７における支柱部７ｂおよび枠体部７ｃに透明板材８ａ、８ｂが配置されるようになっている。
【００２２】
基台部７ａは、例えば長方形状とされており、その四隅にキャスター１１が固定されている。この基台部７ａに固定されたキャスター１１により、情報表示装置５の移動が容易に行えるようになっている。
【００２３】
支柱部７ｂは、ディスプレイ６を所定高さに支持するためのものであり、例えば長方形状の板部材もしくは基台部７ａの両側に位置する２本の棒状部材で構成されており、高さが７５〜８０ｃｍ程度（例えば７８．５ｃｍ）、幅が４８〜５２ｃｍ程度（例えば５０ｃｍ）とされている。この支柱部７ｂの四箇所（例えば板部材の場合には四隅、２本の棒状部材の場合には上下それぞれの位置）には、埋め込みボルト１２ａ〜１２ｄが備えられており、これら埋め込みボルト１２ａ〜１２ｄにより透明板材８ａが保持される構造とされている。
【００２４】
また、枠体部７ｃは、ディスプレイ６の外縁を囲む四角枠状とされ、その幅は、４８〜５２ｃｍ程度（例えば５０ｃｍ）とされ、この枠体部７ｃの四隅にも、埋め込みボルト１３ａ〜１３ｄが備えられており、これら埋め込みボルト１３ａ〜１３ｄにより透明板材８ｂが保持される構造とされている。
【００２５】
透明板材８ａは、例えば支柱部７ｂと同等サイズの長方形状とされており、四隅のうち埋め込みボルト１２ａ〜１２ｄと対応する場所に穴１４ａ〜１４ｄが形成されている。この透明板材８ａは、例えば透明アクリル板にて構成される。
【００２６】
また、透明板材８ｂは、例えば、枠体部７ｃと同等サイズの四角枠状とされており、四隅に埋め込みボルト１３ａ〜１３ｄと対応する穴１５ａ〜１５ｄが形成されている。この透明板材８ｂも、例えば透明アクリル板にて構成される。
【００２７】
なお、透明板材８ａ、８ｂが支柱部７ｂや枠体部７ｃに配置された後、埋め込みボルト１２ａ〜１２ｄ、１３ａ〜１３ｄの頭部に化粧ナット１６ａ〜１６ｄ、１７ａ〜１７ｄを取り付けることで、透明板材８ａ、８ｂの支柱部７ｂや枠体部７ｃへの固定が行えるようになっている。
【００２８】
このような構造により、情報表示装置５が備えられた表示システムが構成されている。続いて、情報表示装置５の使用例について説明する。
【００２９】
例えば、図３に示すように、透明板材８ａと支柱部７ｂの間や透明板材８ｂと枠体部７ｃとの間に、デザインやホール内に導入された遊技台１の広告を行ったポスターなどの印刷物１８ａ、１８ｂを挟み込み、透明板材８ａ、８ｂの各穴１４ａ〜１４ｄ、１５ａ〜１５ｄ内に支柱部７ｂや枠体部７ｃに備えられた埋め込みボルト１２ａ〜１２ｄ、１３ａ〜１３ｄを挿入する。そして、各埋め込みボルト１２ａ〜１２ｄ、１３ａ〜１３ｄの頭部に化粧ナット１６ａ〜１６ｄ、１７ａ〜１７ｄを嵌め込む。これにより、印刷物１８ａ、１８ｂが透明板材８ａ、８ｂを介して支柱部７ｂや枠体部７ｃに固定される。なお、印刷物１８ａ、１８ｂのうち埋め込みボルト１２ａ〜１２ｄ、１３ａ〜１３ｄと対応する位置に穴を空けるようにしておけば、支柱部７ｂや枠体部７ｃに掛けることができるため、より固定が容易に行えるようにできる。
【００３０】
図４（ａ）、（ｂ）は、情報表示装置５の使用状態の一例を示した正面図である。上記のように印刷物１８ａ、１８ｂを固定したときに、透明板材８ａ、８ｂが透明であるため、印刷物１８ａ、１８ｂが外から視認することができる。このため、印刷物１８ａ、１８ｂに印刷されたデザインや遊技台１の広告をユーザに提供することが可能となる。そして、図４（ａ）、（ｂ）に示したように、印刷物１８ａ、１８ｂを取り替えるだけで、情報表示装置５の外観を容易に変更でき、その取替えも容易に行える。
【００３１】
以上説明したように、本実施形態の情報表示装置５によれば、透明板材８ａ、８ｂを通じて支持筐体７に取り付けた印刷物１８ａ、１８ｂを視認可能な状態にできるため、ユーザに対して印刷物１８ａ、１８ｂに印刷されたデザインや遊技台１の広告をユーザに提供することが可能となり、意匠性に優れたものとすることができる。また、透明板材８ａ、８ｂの支持筐体７への脱着に伴って印刷物１８ａ、１８ｂ、つまりポスターなどの紙もしくはフィルム状で構成されたデザイン・広告媒体の変更を容易に行うことが可能である。
【００３２】
そして、印刷物１８ａ、１８ｂのみを変更すれば、情報表示装置５の外観を容易に変更できるため、パチンコホールのイメージに合わせたデザインに容易に変更することが可能となり、利用範囲が広がり、効率的なデザイン態様とすることが可能となる。
【００３３】
また、透明アクリル板などによって構成された透明板材８ａ、８ｂによって印刷物１８ａ、１８ｂの表面が覆われることになるため、印刷物１８ａ、１８ｂの素材が安価なものであったとしても高価なものに見えるし、印刷物１８ａ、１８ｂの劣化も効果的に抑制することが可能となる。
【００３４】
（他の実施形態）
上記実施形態では、情報表示装置５のうちの支柱部７ｂおよび枠体部７ｃの双方に透明板材８ａ、８ｂを取り付けるようにしたが、いずれか一方のみにしても構わない。また、埋め込みボルト１２ａ〜１２ｄ、１３ａ〜１３ｄおよび化粧ナット１６ａ〜１６ｄ、１７ａ〜１７ｄを用いて透明板材８ａ、８ｂを支柱部７ｂや枠体部７ｃに対して固定しているが、これは支持手段の一例を示したものであり、他の構造を用いても良い。例えば、支柱部７ｂや枠体部７ｃのうち透明板材８ａ、８ｂに空けた各穴１４ａ〜１４ｄ、１５ａ〜１５ｄと対向する位置にフック部を設けておき、そのフック部が各穴１４ａ〜１４ｄ、１５ａ〜１５ｄに挿入されることで、フック部にて透明板材８ａ、８ｂが支持されるような構造としても構わない。
【００３５】
さらに、透明板材８ａ、８ｂが完全に支持筐体７から脱着可能な構造でなくても、例えば、透明板材８ａ、８ｂの一辺を揺動中心として開閉可能な構造としても構わない。
【００３６】
また、上記実施形態では、情報表示装置５により、各遊技台１に関する様々な情報や島ごとの情報等を表示したり、パチンコホールの宣伝広告用の表示などを行う場合について説明したが、その他の情報の表示を行うものに情報表示装置５を適用しても構わない。
【００３７】
また、上記実施形態では、支柱部７ｂが板状部材もしくは２本の棒状部材で構成されたのものについて説明したが、支柱部７ｂは、透明板材８ａを表面で支持できるようなものであれば良く、その厚みは任意に設定できるし、箱状のものであっても構わない。
【図面の簡単な説明】
【００３８】
【図１】本考案の第１実施形態における情報表示装置が備えられた表示システムの模式図である。
【図２】図１に示す情報表示装置の全体斜視図である。
【図３】図２に示す情報表示装置の分解斜視図である。
【図４】情報表示装置５の使用状態の一例を示した正面図である。
【符号の説明】
【００３９】
１…遊技台、２…各台基板、３…島ＣＰＵ、４…ホールコンピュータ、５…情報表示装置、６…ディスプレイ、６ａ…換気口、７…支持筐体、７ａ…基台部、７ｂ…支柱部、７ｃ…枠体部、８ａ、８ｂ…透明板材、９…電源コード、１０…ケーブル、１１…キャスター、１２ａ〜１２ｄ、１３ａ〜１３ｄ…埋め込みボルト、１４ａ〜１４ｄ、１５ａ〜１５ｄ…穴、１６ａ〜１６ｄ、１７ａ〜１７ｄ…化粧ナット、１８ａ、１８ｂ…印刷物。
【図１】
0003126301.tif 000003
【図２】
0003126301.tif 000004
【図３】
0003126301.tif 000005
【図４】
0003126301.tif 000006